(57)【特許請求の範囲】
【請求項１】
送信装置と共にE-UTRA通信システムを構成する受信装置において、
UCI信号の送信の有効または無効を検出する検出手段を有し、
前記検出手段は、UCI信号の符号化ビット信号、repetition placeholderビット信号、placeholderビット信号を各々加算平均化した合成符号化ビット信号、合成repetition placeholderビット信号、合成placeholderビット信号を合成した検出用ビット合成値と閾値とを比較して前記UCI信号の有効または無効を検出することを特徴とする受信装置。
【請求項２】
請求項１に記載の受信装置において、
前記検出手段は、可変な閾値を用いて、前記UCI信号の送信の有効または無効を検出する
ことを特徴とする受信装置。
【請求項３】
請求項１に記載の受信装置において、
前記固定値として与えられるビット信号を用いることなく、前記UCIビットが検出される
ことを特徴とする受信装置。
【請求項４】
送信装置と共にE-UTRA通信システムを構成する受信装置の受信方法において、
UCI信号の送信の有効または無効を検出する検出ステップを含み、
この検出ステップは、UCI信号の符号化ビット信号、repetition placeholderビット信号、placeholderビット信号を各々加算平均化した合成符号化ビット信号、合成repetition placeholderビット信号、合成placeholderビット信号を合成した検出用ビット合成値と閾値とを比較して前記UCI信号の有効または無効を検出する
ことを特徴とする受信方法。
【請求項５】
送信装置と共にE-UTRA通信システムを構成する受信装置のコンピュータに、
UCI信号の送信の有効または無効を検出する検出ステップを含み、
この検出ステップは、UCI信号の符号化ビット信号、repetition placeholderビット信号、placeholderビット信号を各々加算平均化した合成符号化ビット信号、合成repetition placeholderビット信号、合成placeholderビット信号を合成した検出用ビット合成値と閾値とを比較して前記UCI信号の有効または無効を検出する処理を行わせるプログラム。
【請求項６】
送信装置と共にE-UTRA通信システムを構成する受信装置において、
UCI信号の送信が有効または無効であることを示す情報を参照して、前記UCI信号の送信が有効である場合、UCIビットを検出し、前記UCI信号の送信が無効である場合、UCIビットを検出しない検出手段
を有し、
前記検出手段は、UCI信号の符号化ビット信号、repetition placeholderビット信号、placeholderビット信号を各々加算平均化した合成符号化ビット信号、合成repetition placeholderビット信号、合成placeholderビット信号を合成した検出用ビット合成値と閾値とを比較して前記UCI信号の有効または無効を検出することを特徴とする受信装置。
【請求項７】
送信装置と共にE-UTRA通信システムを構成する受信装置の受信方法において、
UCI信号の送信が有効または無効であることを示す情報を参照して、前記UCI信号の送信が有効である場合、UCIビットを検出し、前記UCI信号の送信が無効である場合、UCIビットを検出しないステップを含み、このステップは、UCI信号の符号化ビット信号、repetition placeholderビット信号、placeholderビット信号を各々加算平均化した合成符号化ビット信号、合成repetition placeholderビット信号、合成placeholderビット信号を合成した検出用ビット合成値と閾値とを比較して前記UCI信号の有効または無効を検出することを特徴とする受信方法。
【請求項８】
送信装置と共にE-UTRA通信システムを構成する受信装置のコンピュータに、
UCI信号の送信が有効または無効であることを示す情報を参照して、前記UCI信号の送信が有効である場合、UCIビットを検出し、前記UCI信号の送信が無効である場合、UCIビットを検出しないステップを含み、このステップは、UCI信号の符号化ビット信号、repetition placeholderビット信号、placeholderビット信号を各々加算平均化した合成符号化ビット信号、合成repetition placeholderビット信号、合成placeholderビット信号を合成した検出用ビット合成値と閾値とを比較して前記UCI信号の有効または無効を検出する処理を行わせるプログラム。
【請求項９】
送信装置と共にE-UTRA通信システムを構成する受信装置において、
UCI信号の送信の有効または無効を検出する第１の検出手段と、
前記UCI信号の送信が有効である場合、UCIビットを検出し、前記UCI信号の送信が無効である場合、UCIビットを検出しない第２の検出手段とを有し、前記第１の検出手段は、UCI信号の符号化ビット信号、repetition placeholderビット信号、placeholderビット信号を各々加算平均化した合成符号化ビット信号、合成repetition placeholderビット信号、合成placeholderビット信号を合成した検出用ビット合成値と閾値とを比較して前記UCI信号の有効または無効を検出することを特徴とする受信装置。
【請求項１０】
送信装置と共にE-UTRA通信システムを構成する受信装置の受信方法において、
UCI信号の送信の有効または無効を検出する第１の検出ステップと、前記UCI信号の送信が有効である場合、UCIビットを検出し、前記UCI信号の送信が無効である場合、UCIビットを検出しない第２の検出ステップとを含み、
前記第１の検出ステップは、UCI信号の符号化ビット信号、repetition placeholderビット信号、placeholderビット信号を各々加算平均化した合成符号化ビット信号、合成repetition placeholderビット信号、合成placeholderビット信号を合成した検出用ビット合成値と閾値とを比較して前記UCI信号の有効または無効を検出することを特徴とする受信方法。
【請求項１１】
送信装置と共にE-UTRA通信システムを構成する受信装置のコンピュータに、
UCI信号の送信の有効または無効を検出する第１の検出ステップと、前記UCI信号の送信が有効である場合、UCIビットを検出し、前記UCI信号の送信が無効である場合、UCIビットを検出しない第２の検出ステップとを含み、
前記第１の検出ステップは、UCI信号の符号化ビット信号、repetition placeholderビット信号、placeholderビット信号を各々加算平均化した合成符号化ビット信号、合成repetition placeholderビット信号、合成placeholderビット信号を合成した検出用ビット合成値と閾値とを比較して前記UCI信号の有効または無効を検出する処理を行わせるプログラム。
【発明の詳細な説明】
【技術分野】
【０００１】
本発明は受信装置および受信方法、並びにプログラムに関する。
【背景技術】
【０００２】
E-UTRA（Evolved Universal Terrestrial Radio Access）通信システムが提案されている。E-UTRA通信システムにおいて、ACK（Acknowledgement）またはRI（Rank Indication）などのUCI（Uplink Control Information）が検出される。
【０００３】
図６を参照して、従来のE-UTRA通信システムにおける受信器の構成およびUCIの検出方法を説明する。
【０００４】
なお、図６では、１つの送信器５００と１つの受信器５０１が存在する場合を示したが、実際には複数の送信器５００が存在する。
【０００５】
送信器５００は、UCI信号とリファレンス信号を多重した送信信号を受信器５０１に対して送信する。
【０００６】
受信器５０１は、等化処理部５２１、De-scramble部５２２、Inverse Rate Match部５２３、および検出処理部５２４を有する。
【０００７】
等化処理部５２１には、送信器５００からUCI信号とリファレンス信号が多重された送信信号が入力される。等化処理部５２１において、入力された送信信号に多重されているリファレンス信号を用いて、入力された送信信号に多重されているUCI信号の振幅および位相の補正が行われることにより、UCI復調信号が生成される。生成されたUCI復調信号は、De-scramble部５２２に出力される。
【０００８】
De-scramble部５２２には、等化処理部５２１からUCI復調信号が入力される。De-scramble部５２２において、入力されたUCI復調信号に対して送信器５００のscramble処理とは逆に相当する処理が施されることにより、UCI復調信号が、符号化ビット信号と、repetition placeholderビット信号と、placeholderビット信号とに分離される。ここで、符号化ビット信号およびrepetition placeholderビット信号は、送信器５００側においてUCIビットを符号化した信号であるため、UCIビットの検出処理に用いることが可能である。一方、placeholderビット信号は、送信器５００側において固定的に整数値１を与えた信号であるため、UCIビットの検出処理に用いない。そのため、生成した符号化ビット信号およびrepetition placeholderビット信号がInverse Rate Match部５２３に出力される。
【０００９】
Inverse Rate Match部５２３には、De-scramble部５２２から符号化ビット信号およびrepetition placeholderビット信号が入力される。ここで、送信器５００のRate Match処理において、符号化ビット信号およびrepetition placeholderビット信号が任意の回数にわたり繰り返されている。そのため、Inverse Rate Match部５２３において、その任意の繰り返し回数にわたり、符号化ビット信号およびrepetition placeholderビット信号を加算することにより、合成符号化ビット信号および合成repetition placeholderビット信号が生成される。生成された合成符号化ビット信号および合成repetition placeholderビット信号は、検出処理部５２４に出力される。
【００１０】
検出処理部５２４には、Inverse Rate Match部５２３から合成符号化ビット信号および合成repetition placeholderビット信号が入力される。検出処理部５２４において、入力された合成符号化ビット信号および合成repetition placeholderビット信号を用いて、UCIビットが検出される。
【００１１】
従来、基地局装置には、下りリンクにおいて、第１の共有チャネルを送信する送信手段と、上りリンクにおいて、前記第１の共有チャネルの送達確認情報と第２の共有チャネルとを受信する受信手段と、送達確認情報用のビット領域以外にマッピングされた第２の共有チャネルを抽出及び復号する手段と、第１の共有チャネルの送信後に受信された上り信号に送達確認情報が含まれているか否かを判定する判定手段と備え、判定手段は、上り信号の中で送達確認情報が含まれているかもしれない信号部分の受信信号品質により判定するものもある（例えば、特許文献１参照）。
【先行技術文献】
【特許文献】
【００１２】
【特許文献１】特開２００８−２８９１１４号公報
【発明の概要】
【発明が解決しようとする課題】
【００１３】
しかしながら、従来のE-UTRA通信システムにおいて、送信器からUCI信号が送信されない場合に、受信器の検出処理においてUCI信号が送信されていると仮定して検出処理を行うことにより、UCIビットの誤検出が発生することがある。
【００１４】
また、従来のE-UTRA通信システムにおいて、送信器からUCI信号は送信されているがUCI信号の受信品質が悪い場合など、送信器からUCI信号が送信されており、かつ、UCI信号の受信品質が悪い場合に、受信器の検出処理において誤ったUCIビットが検出結果として得られる可能性が高い。
【００１５】
そこで、本発明は、上記課題を解決すること、すなわち、UCIビットの誤検出を軽減すること、言い換えれば、UCIビットの誤検出を防止し、より確実に正しいUCIビットを得ることのできる受信装置および受信方法、並びにプログラムを提供することを目的とする。
【課題を解決するための手段】
【００１６】
上記課題を解決するために、本発明の受信装置の第１の側面は、送信装置と共にE-UTRA通信システムを構成する受信装置であって、UCI信号の送信の有効または無効を検出する検出手段を有するものとされている。
【００１７】
また、本発明の受信装置の第１の側面は、上述の構成に加えて、検出手段が、可変な閾値を用いて、UCI信号の送信の有効または無効を検出するものとされている。
【００１８】
さらに、本発明の受信装置の第１の側面は、上述の構成に加えて、検出手段が、送信装置におけるUCIビットのパターンに依存せずに符号化出力に対して固定値として与えられるビット信号を用いて、UCI信号の送信の有効または無効を検出するものとされている。
【００１９】
さらにまた、本発明の受信装置の第１の側面は、上述の構成に加えて、検出手段が、送信装置におけるUCIビットのパターンに依存せずに符号化出力に対して固定値として与えられるビット信号を用いて、UCI信号の送信の有効または無効を検出し、固定値として与えられるビット信号を用いることなく、UCIビットが検出されるものとされている。
【００２０】
また、本発明の受信方法の第１の側面は、送信装置と共にE-UTRA通信システムを構成する受信装置の受信方法であって、UCI信号の送信の有効または無効を検出するステップを含むものとされている。
【００２１】
さらに、本発明のプログラムの第１の側面は、送信装置と共にE-UTRA通信システムを構成する受信装置のコンピュータに、UCI信号の送信の有効または無効を検出するステップを含む処理を行わせるものとされている。
【００２２】
上記課題を解決するために、本発明の受信装置の第２の側面は、送信装置と共にE-UTRA通信システムを構成する受信装置であって、UCI信号の送信が有効または無効であることを示す情報を参照して、UCI信号の送信が有効である場合、UCIビットを検出し、UCI信号の送信が無効である場合、UCIビットを検出しない検出手段を有するものとされている。
【００２３】
また、本発明の受信方法の第２の側面は、送信装置と共にE-UTRA通信システムを構成する受信装置の受信方法であって、UCI信号の送信が有効または無効であることを示す情報を参照して、UCI信号の送信が有効である場合、UCIビットを検出し、UCI信号の送信が無効である場合、UCIビットを検出しないステップを含むものとされている。
【００２４】
さらに、本発明のプログラムの第２の側面は、送信装置と共にE-UTRA通信システムを構成する受信装置のコンピュータに、UCI信号の送信が有効または無効であることを示す情報を参照して、UCI信号の送信が有効である場合、UCIビットを検出し、UCI信号の送信が無効である場合、UCIビットを検出しないステップを含む処理を行わせるものとされている。
【００２５】
上記課題を解決するために、本発明の受信装置の第３の側面は、送信装置と共にE-UTRA通信システムを構成する受信装置であって、UCI信号の送信の有効または無効を検出する第１の検出手段と、UCI信号の送信が有効である場合、UCIビットを検出し、UCI信号の送信が無効である場合、UCIビットを検出しない第２の検出手段とを有するものとされている。
【００２６】
また、本発明の受信方法の第３の側面は、送信装置と共にE-UTRA通信システムを構成する受信装置の受信方法であって、UCI信号の送信の有効または無効を検出する第１の検出ステップと、UCI信号の送信が有効である場合、UCIビットを検出し、UCI信号の送信が無効である場合、UCIビットを検出しない第２の検出ステップとを含むものとされている。
【００２７】
さらに、本発明のプログラムの第３の側面は、送信装置と共にE-UTRA通信システムを構成する受信装置のコンピュータに、UCI信号の送信の有効または無効を検出する第１の検出ステップと、UCI信号の送信が有効である場合、UCIビットを検出し、UCI信号の送信が無効である場合、UCIビットを検出しない第２の検出ステップとを含む処理を行わせるものとされている。
【発明の効果】
【００２８】
本発明の第１〜第３の側面によれば、UCIビットの誤検出を軽減することのできる受信装置および受信方法、並びにプログラムを提供することができる。
【図面の簡単な説明】
【００２９】
【図１】本発明の一実施形態のE-UTRA通信システムにおけるUCIの受信のための受信器の構成を示すブロック図である。
【図２】信頼度情報生成部１２５の構成の例を示すブロック図である。
【図３】受信の処理を示すフローチャートである。
【図４】信頼度情報の生成の処理を示すフローチャートである。
【図５】コンピュータのハードウェアの構成例を示すブロック図である。
【図６】従来のE-UTRA通信システムにおける受信器の構成を示すブロック図である。
【発明を実施するための形態】
【００３０】
以下、本発明の一実施の形態のE-UTRA通信システムについて、図１〜図５を参照しながら説明する。
【００３１】
図１は、本発明の一実施の形態のE-UTRA通信システムにおけるUCIの受信のための受信器の構成を示すブロック図である。図１に示されるE-UTRA通信システムは、１つの送信器１００と１つの受信器１０１とからなる。以下の説明では、１例として１つの送信器１００と１つの受信器１０１が存在する場合に、E-UTRA通信システムにおける受信器１０１における処理を説明する。なお、受信器１０１は、受信装置の一例である。
【００３２】
E-UTRA通信システムにおけるUCI受信処理では、検出処理に先立って、符号化ビット信号、repetition placeholderビット信号、およびplaceholderビット信号を用いてUCI信号に関する信頼度情報が生成され、検出処理において信頼度情報が参照される。
【００３３】
送信器１００は、UCI信号およびリファレンス信号が多重された送信信号を受信器１０１に対して送信する。
【００３４】
受信器１０１は、等化処理部１２１、De-scramble部１２２、Inverse Rate Match部１２３、雑音電力推定部１２４、信頼度情報生成部１２５、および検出処理部１２６を有する。
【００３５】
等化処理部１２１には、送信器１００からUCI信号およびリファレンス信号が多重された送信信号が入力される。等化処理部１２１は、入力された送信信号に多重されているリファレンス信号を用いて、入力された送信信号に多重されているUCI信号の振幅および位相を補正することにより、UCI復調信号を生成する。等化処理部１２１は、生成されたUCI復調信号を、De-scramble部１２２に出力する。また、等化処理部１２１は、送信信号に多重されているリファレンス信号および生成したチャネル推定値を、雑音電力推定部１２４に出力する。
【００３６】
De-scramble部１２２には、等化処理部１２１からUCI復調信号が入力される。De-scramble部１２２は、入力されたUCI復調信号に対して、送信器１００のscramble処理とは逆に相当する処理を施すことにより、符号化ビット信号とrepetition placeholderビット信号とplaceholderビット信号とを生成する。De-scramble部１２２は、生成された符号化ビット信号とrepetition placeholderビット信号とplaceholderビット信号をInverse Rate Match部１２３に出力する。
【００３７】
Inverse Rate Match部１２３には、De-scramble部１２２から符号化ビット信号とrepetition placeholderビット信号とplaceholderビット信号とが入力される。ここで、送信器１００のRate Match処理において、符号化ビット信号、repetition placeholderビット信号、およびplaceholderビット信号が任意の回数にわたり繰り返されている。これに対応して、受信器１０１のInverse Rate Match部１２３は、送信器１００における繰り返し回数にわたり、符号化ビット信号、repetition placeholderビット信号、およびplaceholderビット信号を、それぞれ加算処理、または平均化処理することにより、合成符号化ビット信号、合成repetition placeholderビット信号、および合成placeholderビット信号を生成する。Inverse Rate Match部１２３は、生成された合成符号化ビット信号、合成repetition placeholderビット信号、および合成placeholderビット信号を、信頼度情報生成部１２５に出力する。また、Inverse Rate Match部１２３は、生成された合成符号化ビット信号および合成repetition placeholderビット信号を検出処理部１２６に出力する。
【００３８】
雑音電力推定部１２４には、等化処理部１２１からリファレンス信号およびチャネル推定値が入力される。雑音電力推定部１２４は、入力されたリファレンス信号およびチャネル推定値を用いて、熱雑音または伝搬路の干渉などに起因する雑音電力値を推定する。雑音電力推定部１２４は、推定された雑音電力値を、信頼度情報生成部１２５に出力する。
【００３９】
信頼度情報生成部１２５には、Inverse Rate Match部１２３から、合成符号化ビット信号、合成repetition placeholderビット信号、および合成placeholderビット信号が入力され、雑音電力推定部１２４から雑音電力値が入力される。信頼度情報生成部１２５は、入力された合成符号化ビット信号、合成repetition placeholderビット信号、合成placeholderビット信号、および雑音電力値を用いて、UCI信号に関する信頼度情報を生成する。信頼度情報生成部１２５は、生成された信頼度情報を、検出処理部１２６に出力する。
【００４０】
検出処理部１２６には、Inverse Rate Match部１２３から合成符号化ビット信号および合成repetition placeholderビット信号が入力され、信頼度情報生成部１２５から信頼度情報が入力される。検出処理部１２６は、検出手段の一例であり、入力された信頼度情報を参照して、信頼度情報がUCI信号の送信が有効であることを示す場合は、入力された合成符号化ビット信号および合成repetition placeholderビット信号を用いて、UCIビットの検出処理を行うことにより、UCIビットを生成する。一方、検出処理部１２６は、入力された信頼度情報を参照して、信頼度情報がUCI信号の送信が無効であることを示す場合は、UCIビットの検出処理を行わない（検出処理を抑制する）。
【００４１】
図２は、信頼度情報生成部１２５の構成の例を示すブロック図である。
【００４２】
信頼度情報生成部１２５は、ビット合成部１４１、検出閾値計算部１４２、および信頼度判定部１４３を有する。
【００４３】
ビット合成部１４１には、Inverse Rate Match部１２３から合成符号化ビット信号、合成repetition placeholderビット信号、および合成placeholderビット信号が入力される。ビット合成部１４１は、合成符号化ビット信号、合成repetition placeholderビット信号、および合成placeholderビットを合成して検出用ビット信号合成値を生成する。ビット合成部１４１は、生成された検出用ビット信号合成値を信頼度判定部１４３に出力する。
【００４４】
検出閾値計算部１４２には、雑音電力推定部１２４から雑音電力値が入力される。検出閾値計算部１４２は、入力された雑音電力値とパラメータとして予め設定が可能である（予め記憶されている）相対検出閾値とを用いて、検出閾値を生成する。検出閾値計算部１４２は、生成された検出閾値を信頼度判定部１４３に出力する。
【００４５】
信頼度判定部１４３には、ビット合成部１４１から検出用ビット信号合成値が入力され、検出閾値計算部１４２から検出閾値が入力される。信頼度判定部１４３は、入力された検出用ビット信号合成値と検出閾値とを比較することにより、信頼度情報を生成する。信頼度判定部１４３は、生成された信頼度情報を、検出処理部１２６に出力する。すなわち、信頼度判定部１４３は、検出手段の一例であり、UCI信号の送信の有効または無効を検出する。
【００４６】
このように、雑音電力推定部１２４は、雑音電力を推定し、信頼度情報生成部１２５は、UCI信号に関する信頼度情報を生成し、検出処理部１２６は、UCI信号に関する信頼度情報を参照して検出処理を行う。
【００４７】
図３は、受信器１０１の受信の処理を示すフローチャートである。以下、図３を参照して、受信器１０１におけるUCIの受信処理を説明する。
【００４８】
ステップＳ２００において、受信器１０１は、送信器１００から送信されてきたUCI信号とリファレンス信号が多重された送信信号を受信する。
【００４９】
ステップＳ２０１において、等化処理部１２１は、受信した送信信号からリファレンス信号を抽出する。ステップＳ２０２において、等化処理部１２１は、抽出したリファレンス信号を用いて、チャネル推定値を生成する。ステップＳ２０１およびステップＳ２０２と並列に実行されるステップＳ２０３において、等化処理部１２１は、受信した送信信号からUCI信号を抽出する。ステップＳ２０４において、等化処理部１２１は、UCI等化処理を行う。すなわち、ステップＳ２０４において、等化処理部１２１は、抽出したUCI信号に対して生成したチャネル推定値を用いて振幅および位相を補正することにより、UCI復調信号を生成する。
【００５０】
ステップＳ２０５において、De-scramble部１２２は、UCI復調信号に対して、送信器１００のscramble処理とは逆に相当する処理を施して、符号化ビット信号X0、repetition placeholderビット信号X1、およびplaceholderビット信号X2を生成する。
【００５１】
ステップＳ２０６において、Inverse Rate Match部１２３は、式（１）により、符号化ビット信号X0、repetition placeholderビット信号X1、およびplaceholderビット信号X2を合成することにより、合成符号化ビット信号XRM,0、合成repetition placeholderビット信号XRM,1、および合成placeholderビット信号XRM,2を生成する。ここで、変数iは、符号化ビット信号X0、repetition placeholderビット信号X1、およびplaceholderビット信号X2のビット番号を示す整数である。変数i’は、合成符号化ビット信号XRM,0、合成repetition placeholderビット信号XRM,1、および合成placeholderビット信号XRM,2のビット番号を示す整数である。変数NRM,0,i’,NRM,1,i’、およびNRM,2,i’は、それぞれ、変数i’に関する符号化ビット信号X0、repetition placeholderビット信号X1、およびplaceholderビット信号X2に関する送信器１００のRate Match処理におけるビットの繰り返し回数を示す。変数mは、0,1、または2のいずれかの値を有する整数である。
【数１】
0005742131.tif 000002
・・・（１）
【００５２】
ステップＳ２０２〜ステップＳ２０６と並列に実行されるステップＳ２０７において、雑音電力推定部１２４は、リファレンス信号とチャネル推定値を用いて雑音電力値σ2を推定する。
【００５３】
ステップＳ２０８において、信頼度情報生成部１２５は、信頼度情報を生成する。すなわち、信頼度情報生成部１２５は、合成符号化ビット信号XRM,0、合成repetition placeholderビット信号XRM,1、および合成placeholderビット信号XRM,２を用いて、検出用ビット信号合成値Xdetを計算する。また、信頼度情報生成部１２５は、雑音電力値σ2を用いて検出閾値Thrdetを計算する。信頼度情報生成部１２５は、計算した検出用ビット信号合成値Xdetと検出閾値Thrdetとの大小関係を比較することにより信頼度情報を生成する。ここで、信頼度情報は、UCI信号の送信が有効であること、またはUCI信号の送信が無効であることを示す情報である。信頼度情報の生成の処理の詳細は、後述する。
【００５４】
ステップＳ２０９において、検出処理部１２６は、信頼度情報を参照してUCI信号の送信が有効であるか、またはUCI信号の送信が無効であるかを判断する。ステップＳ２０９において、信頼度情報によってUCI信号の送信が無効であることが示されていて、UCI信号の送信が無効であると判断された場合、手続きはステップＳ２１０に進み、検出処理部１２６は、UCI信号の検出を行わず、UCIの受信処理は終了する。
【００５５】
一方、ステップＳ２０９において、信頼度情報によってUCI信号の送信が有効であることが示されていて、UCI信号の送信が有効であると判断された場合、手続きはステップＳ２１１に進み、検出処理部１２６は、合成符号化ビット信号XRM,0、および合成repetition placeholderビット信号XRM,1を用いて検出処理を行う。
【００５６】
UCI信号の検出処理を行う場合、検出処理部１２６は、式（２）により、合成符号化ビット信号XRM,0、および合成repetition placeholderビット信号XRM,1を合成して、UCIビット合成信号Xcombを生成する。ここで、変数i’’’は、UCIビット合成信号Xcombのビット番号を示す整数である。変数Nrept,0,i’’’は、ビット番号i’’’に関する合成符号化ビット信号XRM,0の繰り返しビット数を示す整数である。変数Nrept,1,i’’’は、ビット番号i’’’に関する合成repetition placeholderビット信号XRM,1の繰り返しビット数を示す整数である。変数i’’は、ビット番号i’’’に関する合成符号化ビット信号XRM,0および合成repetition placeholderビット信号XRM,1のビット番号を示す整数である。
【数２】
0005742131.tif 000003
・・・（２）
【００５７】
ステップＳ２１２において、検出処理部１２６は、送信器１００から送信されるUCIビットの想定されるすべてのビット配列パターンを有するコードワード信号Cを生成する。検出処理部１２６は、式（３）により、UCIビット合成信号Xcombおよびコードワード信号Cを用いて、相関値Xcorrを生成する。
【数３】
0005742131.tif 000004
・・・（３）
【００５８】
ここで、変数NBITは、UCIビット合成信号Xcombのビット数を示す整数である。変数kは、ビット配列パターン番号を示す整数である。
【００５９】
ステップＳ２１３において、検出処理部１２６は、生成された相関値Xcorr内において、最大値を有する相関値Xcorrに対応するUCIビットの配列パターンをUCIビットとして検出して、UCIの受信処理は終了する。すなわち、ステップＳ２１３において、検出処理部１２６は、固定値として与えられるビット信号を用いることなく、UCIビットを検出する。
【００６０】
図４は、ステップＳ２０８に対応する、信頼度情報生成部１２５による信頼度情報の生成の処理を示すフローチャートである。
【００６１】
ステップＳ４００において、ビット合成部１４１は、Inverse Rate Match部１２３から合成符号化ビット信号XRM,0、合成repetition placeholderビット信号XRM,1、および合成placeholderビット信号XRM,２を入力（取得）する。ステップＳ４０１において、ビット合成部１４１は、式（４）により、検出用ビット信号合成値Xdetを計算する。ここで、変数Nrept,2,i’’’は、ビット番号i’’’に関する合成repetition placeholderビット信号XRM,２の繰り返しビット数を示す整数である。
【数４】
0005742131.tif 000005
・・・（４）
【００６２】
ステップＳ４００およびステップＳ４０１と並列に実行されるステップＳ４０２において、検出閾値計算部１４２は、雑音電力σ2を用いて式（５）により可変な閾値である検出閾値Thrdetを計算する。ここで、変数Thrdet,relは、相対検出閾値を示す任意の値を設定可能な実数値である。
【数５】
0005742131.tif 000006
・・・（５）
【００６３】
信頼度判定部１４３は、ステップＳ４０３において、検出用ビット信号合成値Xdetと検出閾値Thrdetを比較して、ステップＳ４０４およびステップＳ４０５において、信頼度情報を生成する。具体的には、ステップＳ４０３において、検出用ビット信号合成値Xdetが検出閾値Thrdet未満であると判断された場合、ステップＳ４０４において、信頼度判定部１４３は、UCI信号の送信が無効であることを検出し、UCI信号の送信が無効であることを示す信頼度情報を生成して、信頼度情報の生成の処理は終了する。一方、ステップＳ４０３において、ビット合成値Xdetが検出閾値Thrdet以上であると判断された場合、ステップＳ４０５において、信頼度判定部１４３は、UCI信号の送信が有効であることを検出し、UCI信号の送信が有効であることを示す信頼度情報を生成して、信頼度情報の生成の処理は終了する。
【００６４】
なお、１例として１つの送信器１００が存在する場合について説明したが、本発明はそれに限定されず、送信器１００は複数とすることが可能である。
【００６５】
また、信頼度情報生成部１２５の検出閾値計算部１４２において、検出閾値Thrdetを計算する場合に、雑音電力σ2を用いると説明したが、式（６）により検出閾値Thrdetを計算することも可能である。ここで、変数βは任意の値を設定することが可能な実数である。
【数６】
0005742131.tif 000007
・・・（６）
【００６６】
このように、送信器１００からUCI信号が送信されていない場合、受信器１０１においてUCI信号の誤検出の頻度を軽減することが可能になる。
【００６７】
その理由は、送信器１００からUCI信号が送信されていない場合、受信器１０１の検出処理において信頼度情報を参照することにより、UCI信号が送信されていること、またはUCI信号が送信されていないことが受信器１０１において判断される。これにより、受信器１０１は、UCI信号が送信されていないことを把握することができるからである。
【００６８】
さらに、送信器１００からUCI信号が送信されており、かつ、UCI信号の受信品質が悪い場合、受信器１０１において誤検出の発生頻度が高いUCI信号に対して検出処理する頻度を軽減することが可能である。
【００６９】
その理由は、送信器１００からUCI信号が送信されており、かつ、UCI信号の受信品質が悪い場合においても、受信器１０１の検出処理において信頼度情報を参照することにより、受信したUCI信号の誤検出の発生頻度を把握することができるからである。
【００７０】
以上のように、UCIビットの誤検出を軽減すること、言い換えれば、UCIビットの誤検出を防止し、より確実に正しいUCIビットを得ることができるようになる。
【００７１】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００７２】
図５は、上述した一連の処理をプログラムにより実行するコンピュータのハードウェアの構成例を示すブロック図である。
【００７３】
コンピュータにおいて、CPU（Central Processing Unit）２０１，ROM（Read Only Memory）２０２，RAM（Random Access Memory）２０３は、バス２０４により相互に接続されている。
【００７４】
バス２０４には、さらに、入出力インタフェース２０５が接続されている。入出力インタフェース２０５には、キーボード、マウス、マイクロホンなどよりなる入力部２０６、ディスプレイ、スピーカなどよりなる出力部２０７、ハードディスクや不揮発性のメモリなどよりなる記憶部２０８、ネットワークインタフェースなどよりなる通信部２０９、磁気ディスク、光ディスク、光磁気ディスク、或いは半導体メモリなどのリムーバブルメディア２１１を駆動するドライブ２１０が接続されている。
【００７５】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【００７６】
コンピュータ（CPU２０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。
【００７７】
そして、プログラムは、リムーバブルメディア２１１をドライブ２１０に装着することにより、入出力インタフェース２０５を介して、記憶部２０８に記憶することで、コンピュータにインストールすることができる。また、プログラムは、有線または無線の伝送媒体を介して、通信部２０９で受信し、記憶部２０８に記憶することで、コンピュータにインストールすることができる。その他、プログラムは、ROM２０２や記憶部２０８にあらかじめ記憶しておくことで、コンピュータにあらかじめインストールしておくことができる。
【００７８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００７９】
また、本発明の実施の形態は、上述した実施の形態に限定されるものではなく、本発明の要旨を逸脱しない範囲において種々の変更が可能である。
【符号の説明】
【００８０】
１００…送信器、１０１…受信器、１２１…等化処理部、１２２…De-scramble部、１２３…Inverse Rate Match部、１２４…雑音電力推定部、１２５…信頼度情報生成部、１２６…検出処理部、１４１…ビット合成部、１４２…検出閾値計算部、１４３…信頼度判定部、２０１…CPU、２０２…ROM、２０３…RAM、２０８…記憶部、２０９…通信部、２１１…リムーバブルメディア
【図１】
0005742131.tif 000008
【図２】
0005742131.tif 000009
【図３】
0005742131.tif 000010
【図４】
0005742131.tif 000011
【図５】
0005742131.tif 000012
【図６】
0005742131.tif 000013